(57)【特許請求の範囲】
【請求項１】
カード形状の記録媒体に画像を形成する記録装置であって、
記録媒体が搬送される搬送路と、
前記搬送路上に設けられ、プラテンを有する画像形成部と、
前記画像形成部に前記記録媒体を給送する媒体搬送手段と、
転写フィルムを支持するガイド部材を有し、前記画像形成部に転写フィルムを給送するフィルムユニットと、
前記転写フィルムに形成された画像を前記記録媒体に転写する転写ローラと、
前記転写ローラを前記画像形成部の記録媒体に圧接した作動位置と離間した退避位置との間で昇降する転写部材昇降手段と、
前記転写ローラの媒体搬送方向下流側に配置され、転写フィルムを前記ガイド部材と共に架け渡した状態で支持し、画像形成部で画像転写された転写フィルムを記録媒体から剥離する剥離部材と、
前記剥離部材を、前記転写フィルムを介して前記記録媒体と接触した状態で前記記録媒体に画像転写した転写フィルムを剥離する作動位置と、前記記録媒体から離間した状態で転写フィルムを支持する退避位置と、の間で昇降する剥離部材昇降手段と、
前記転写部材昇降手段と剥離部材昇降手段を制御する制御手段と、
を備え、
前記制御手段は、
前記記録媒体の後端が前記転写ローラを通過した後に前記転写ローラを作動位置から退避位置に移動し、
前記記録媒体の後端が前記剥離部材を通過した後に前記剥離部材を作動位置から退避位置に移動することを特徴とする記録装置。
【請求項２】
前記フィルムユニットは、
装置フレームに着脱可能に取付けられたフィルムカセットと、
このフィルムカセットに設けられ、前記転写フィルムを巻装する一対のスプール軸と、
この一対のスプール軸に巻回された転写フィルムを前記画像形成部に向けて案内する前記ガイド部材と、
前記画像形成部で画像を転写した転写フィルムを記録媒体から剥離する前記剥離部材と、
を有し、
この剥離部材は、前記記録媒体に画像転写した転写フィルムを剥離する作動位置と記録媒体から離間した退避位置との間で移動可能に前記フィルムカセットに取付けられていることを特徴とする請求項１に記載の記録装置。
【請求項３】
前記転写ローラは装置フレームに、前記剥離部材は前記フィルムカセットに、それぞれ作動位置と退避位置との間で移動可能に取付けられ、
前記転写部材昇降手段及び前記剥離部材昇降手段は、
前記転写ローラを作動位置と退避位置との間で移動する第１のシフト部材と、
前記剥離部材を作動位置と退避位置との間で移動する第２のシフト部材と、
この第１と第２のシフト部材を駆動する共通の駆動モータと、
により構成されていることを特徴とする請求項２に記載の記録装置。
【請求項４】
前記第１のシフト部材と前記第２のシフト部材は、
前記駆動モータの回転軸に連結された回転カムと、
前記回転カムの回転で前記転写ローラを作動位置と退避位置との間で移動する第１の昇降部材と、
前記剥離部材を作動位置と退避位置との間で移動する第２の昇降部材と、
により構成されていることを特徴とする請求項３に記載の記録装置。
【請求項５】
前記転写ローラは前記転写フィルムに形成された画像を記録媒体に加熱転写するヒートローラで構成され、
このヒートローラには、ローラ周面の少なくとも一部を覆うカバー部材が設けられ、
このカバー部材は、前記転写ローラが退避位置のときにはローラ周面を覆い、作動位置のときには退避するように前記第１の昇降部材に連動していることを特徴とする請求項４に記載の記録装置。
【請求項６】
更に、前記転写フィルムに画像を印刷する印刷手段を備え、
この印刷手段は、前記画像形成部に移送される転写フィルムに印刷するためのインクリボンとサーマルヘッドとで構成されていることを特徴とする請求項１に記載の記録装置。
【発明の詳細な説明】
【技術分野】
【０００１】
本発明はカードなどの記録媒体に転写フィルム上の画像を転写する記録装置に係わり、画像形成部で画像転写した転写フィルムを記録媒体から剥離する転写フィルム転送機構の改良に関する。
【背景技術】
【０００２】
一般にこの種の装置は、プラスチックカードなどの媒体上に顔写真、文字情報などの画像を形成する装置として広く知られている。この場合、記録媒体に直接画像を形成する装置構成と、転写フィルムに画像を形成し、この画像を記録媒体に転写する装置構成が知られている。
【０００３】
後者の転写フィルムに形成した画像をプラテン部で記録媒体に転写する装置構成の場合、記録媒体の後端部で記録媒体から転写フィルムを剥離する必要がある。
【０００４】
例えば特許文献１にはプラテンと対向する位置に転写ローラ（ヒートローラ）と、フィルムガイド部材をユニット化して配置し、このガイド部材をプラテンの上流側と下流側に一対配置して転写フィルムを支持している。そしてプラテンに送られたカードに対して転写フィルムを装着したユニットを転写ローラと共にカード表面に圧接して画像転写し、転写終了後にカードから転写フィルムとユニットを離間する装置が開示されている。
【０００５】
この文献１の装置は、カード先端がプラテンに搬送されたタイミングで転写フィルムと転写ローラを同時に圧接し、カード後端が下流側のフィルムガイドを通過した後にユニットと転写フィルムをプラテンから離間させている。
【０００６】
また、特許文献２には、プラテンの上流側と下流側に配置したフィルムガイド部材を固定し、このガイド部材間に転写フィルムを装着し、転写ローラをプラテンに対して圧接・離間する装置が開示されている。そして転写ローラはカード後端がこのローラを通過したタイミングでプラテンから離間させている。
【０００７】
また、特許文献３には転写フィルムを装着したユニット（フィルムカセット）とは別に剥離部材をカセット外部に配置する装置が開示されている。
【先行技術文献】
【特許文献】
【０００８】
【特許文献１】特開２００５−０９６４７６号公報
【特許文献２】特開２０００−１４１７２７号公報
【特許文献３】特開平０８−２７６６４６号公報
【発明の概要】
【発明が解決しようとする課題】
【０００９】
上述のようにプラテンに転写フィルムを記録媒体に圧接して走行するように装備し、この転写フィルム上の画像を転写ローラで記録媒体に転写する画像形成機構では、プラテンの下流側に画像を転写したフィルムを記録媒体から剥離する剥離部材が必要となる。この剥離部材は、一般的にフィルムを記録媒体に確実にフィットさせるのと同時に損傷することがないように小径のロール或いはピン部材で構成している。
【００１０】
そこでこの剥離部材を従来は、画像形成後に転写ローラと同時に剥離部材を記録媒体から退避させる（特許文献１の方法）か、剥離部材を固定して転写ローラのみを記録媒体から退避させる（特許文献２の方法）か、いずれかの方法が採られている。なお前述の特許文献３には剥離部材を転写部材とは別に昇降移動する機構が開示されているが、この剥離部材をどのようなタイミングでシフトするかは示唆されていない。
【００１１】
上述の特許文献１の方法では、プラテンの転写部を記録媒体の後端が通過した後にも転写ローラ（ヒートローラ）は転写フィルムと接する状態に維持される。このため転写ローラが転写フィルム基体を焼損或いは熱変形させる恐れがある。また、これを避けるためプラテンの転写部を記録媒体の後端が通過したタイミングで転写ローラと剥離部材を退避させると、記録媒体の先端側と後端側ではフィルムの剥離角度が異なり、画像斑をもたらす原因となる。
【００１２】
また、上述の特許文献２の方法では、剥離部材のフィルム剥離角度は記録媒体の先端側と後端側で一定であるが、剥離部材は小径のローラ、ピンなどで構成されるため画像形成した記録媒体を再びプラテンに後退搬送させることはできない。例えば記録媒体の表裏両面に画像形成する場合にはプラテンで表面に画像形成した後にプラテン下流側で表裏反転して再びプラテンに返送（後退搬送）することができない。これは逆送する記録媒体の端面で転写フィルムを損傷するためである。
【００１３】
そこで本発明者は、転写ローラと剥離部材をプラテンから退避させる際に、上流側に位置するプラテンを記録媒体の後端が通過した段階で転写ローラを退避させ、その後下流側に位置する剥離部材を記録媒体の後端が通過した段階で剥離部材を退避させるとの着想に至った。
【００１４】
本発明は、転写フィルムに形成した画像を転写ローラで記録媒体に転写する際に、転写フィルムを損傷、変形させることがなく常に安定した画像形成が可能である記録装置の提供をその課題としている。更に本発明は、転写フィルムを装置にセットすることが容易である記録装置の提供を課題としている。
【課題を解決するための手段】
【００１５】
上記課題を解決するため、本発明は、画像形成部に画像を有する転写フィルムを給送し、この画像形成部に設けた転写ローラで記録媒体に画像形成する際に、この転写ローラを記録媒体に圧接した作動位置と離間した退避位置との間で昇降可能に構成する。これと共に、転写ローラの媒体搬送方向下流側に配置され、転写フィルムをフィルムユニットのガイド部材と共に架け渡した状態で支持し、画像形成部で画像転写された転写フィルムを記録媒体から剥離する剥離部材を設け、この隔離部材を、前記転写フィルムを介して前記記録媒体と接触した状態で前記記録媒体に画像転写した転写フィルムを剥離する作動位置と、前記記録媒体から離間した状態で転写フィルムを支持する退避位置と、の間で昇降可能に構成する。
【００１６】
そして記録媒体の後端が転写ローラを通過した後にこの転写ローラを作動位置から退避位置に移動し、記録媒体の後端が剥離部材を通過した後にこの剥離部材を作動位置から退避位置に移動することを特徴としている。
【００１７】
これによって、カード形状の記録媒体は、その一端から他端に至るまで同一の転写条件とフィルム剥離条件で画像形成されることとなる。
【００１８】
更にその構成を具体的に説明すると、プラテンを有する画像形成部（Ｂ）と、画像形成部に記録媒体（Ｋ）を給送する媒体搬送手段（２９、３０）と、画像形成部に転写フィルム（４６）を給送するフィルムユニット（６０）と、この転写フィルムに形成された画像を記録媒体に転写する転写ローラ（３３）と、転写ローラを画像形成部の記録媒体に圧接した作動位置（Ｐｎ１）と離間した退避位置（Ｐｎ２）との間で昇降する転写部材昇降手段（６１）と、転写ローラの媒体搬送方向下流側に配置され、画像形成部で画像転写した転写フィルムを記録媒体から剥離する剥離部材（３４ｂ）と、転写フィルムを記録媒体に圧接する作動位置（Ｐｎ３）と記録媒体から離間する退避位置（Ｐｎ４）との間で剥離部材を昇降する剥離部材昇降手段（６２）と、転写部材昇降手段と剥離部材昇降手段を制御する制御手段（７０）とを備える。
【００１９】
そしてこの制御手段は、記録媒体の後端が転写ローラを通過した後に転写ローラを作動位置から退避位置に移動し、記録媒体の後端が剥離部材を通過した後に剥離部材を作動位置から退避位置に移動する。
【００２０】
前記フィルムユニット（６０）は、装置フレームに着脱可能に取付けられたユニットフレームと、このユニットフレームに設けられ、転写フィルムを巻装する一対のスプール軸と、この一対のスプール軸に巻回された転写フィルムを画像形成部に向けて案内するガイド部材と、画像形成部で画像を転写した転写フィルムを記録媒体から剥離する剥離部材とで構成する。この剥離部材は、転写フィルムを記録媒体に圧接させる作動位置と記録媒体から剥離させる退避位置との間で移動可能にユニットフレームに取付ける。
【００２１】
これによって剥離部材はユニットフレームと共に装置フレームから取り外すことが出来、その状態で転写フィルムをユニットのスプール軸から取り外すことも、或いは新たに装着することが可能である。
【発明の効果】
【００２２】
本発明は、画像形成部に配置する転写ローラと、その下流側に配置する剥離部材を、それぞれ記録媒体に圧接する作動位置と、これから退避した退避位置との間で昇降可能に構成し、記録媒体の後端が転写ローラを通過した後に転写ローラを作動位置から退避位置に移動し、記録媒体の後端が剥離部材を通過した後に剥離部材を作動位置から退避位置に移動するようにしたものであるから以下の効果を奏する。
【００２３】
画像形成部を記録媒体の後端が通過したタイミングで転写ローラを記録媒体に圧接した状態から退避させるため、転写フィルムは転写ローラから離れて損傷することも、熱変形することもない。従って転写フィルムのフィルム基体が歪んで後続する画像形成に影響を及ぼすことがない。
【００２４】
また、記録媒体と圧接した状態で走行する転写フィルムは、剥離部材で記録媒体から引き剥がされるが、このとき、剥離部材は記録媒体の後端が通過した後にフィルムを記録媒体に圧接させる作動位置から剥離させる退避位置に移動するため、記録媒体の一端から他端に至るまで画像を転写したフィルムを同一の角度方向に剥離することとなる。従って記録媒体には、その全体に画像斑のない均一な画像が形成される。
【００２５】
更に本発明は、転写フィルムを装填する転写ユニットを装置フレームに着脱可能に装着し、このユニットフレームに剥離部材を作動位置と退避位置の間で移動可能に取り付けることによって、剥離部材はユニットフレームと共に装置フレームから取り外すことが出来、その状態で転写フィルムをユニットのスプール軸から取り外すことも、また新たに装着することも可能となる。特に剥離部材を装置本体に装備する場合には、転写フィルムの装着が面倒であるのに対し、その装着作業が簡単である。
【図面の簡単な説明】
【００２６】
【図１】本発明に係わる情報記録装置の全体構成説明図。
【図２】図１の装置に於けるフィルムカセットの斜視図。
【図３】画像転写の原理説明図であり、（ａ）は記録媒体が搬入する状態を示し、（ｂ）は転写ローラが作動位置にある状態を示し、（ｃ）は退避位置にある状態図。
【図４】図１の装置に於ける転写ユニットと、フィルムカセットの斜視構成図。
【図５】図４の装置に於ける転写ユニットの組み立て分解図。
【図６】転写ローラの昇降機構を示し、（ａ）は全体斜視図であり、（ｂ）は図５に於ける剥離部材の昇降機構図。
【図７】図６の装置に於けるドライブカムと駆動回転軸との関係図。
【図８】（ａ）乃至（ｅ）はシフトモータの動作制御図。
【図９】図１の装置に係わる制御構成図。
【図１０】従来の画像転写の原理説明図。
【発明を実施するための形態】
【００２７】
以下図示の好適な実施の形態に基づいて本発明を詳述する。図１は本発明に係わる情報記録装置の全体構成の説明図である。図１の装置は各種証明用のＩＤカード、商取引用のクレジットカードなどに画像情報を記録する。このため情報記録部Ａと画像記録部（画像形成部；以下同様）Ｂと、これらにカードを供給するカード供給部Ｃが備えられている。
【００２８】
［カード供給部］
装置ハウジング１にはカード供給部Ｃが設けられ、複数枚のカードを収納するカードカセットで構成されている。図１に示すカードカセット３は複数のカードを立位姿勢で整列して収納し、同図左端から右端にカードを繰り出す。そしてカードカセット３の先端には分離開口７が設けられ、ピックアップローラ１９で最前列のカードから装置内に供給する。
【００２９】
［情報記録部の構成］
上述のカードカセット３から送られたカード（記録媒体；以下同様）は搬入ローラ２２から反転ユニットＦに送られる。反転ユニットＦは装置フレーム（不図示）に旋回動可能に軸受け支持されたユニットフレームと、このフレームに支持された一対、或いは複数のローラ対で構成される。
【００３０】
図示のものは距離を隔てて前後に配置された２つのローラ対２０、２１をユニットフレームに回転自在に軸支持されている。そしてユニットフレームは旋回モータ（パルスモータなど）で所定角度方向に旋回動し、これに取付けられているローラ対は搬送モータで正逆転方向に回転するように構成されている。この駆動機構は図示しないが、１つのパルスモータでユニットフレームの旋回動と、ローラ対の回転をクラッチで切り換えるように構成しても、ユニットフレームの旋回動とローラ対の回転を別駆動に構成してもよい。
【００３１】
従ってカードカセット３に準備されたカードはピックアップローラ１９と分離ローラ（アイドルコロ）９で１枚ずつ分離され下流側の反転ユニットＦに送られる。そして反転ユニットＦはカードをローラ対２０、２１でユニット内に搬入し、ローラ対でニップした状態で所定角度方向に姿勢偏向することとなる。
【００３２】
上記反転ユニットＦの旋回方向外周には、磁気記録ユニット２４と、非接触式ＩＣ記録ユニット２３及び接触式ＩＣ記録ユニット２７と、リジェクトスタッカ２５が配置されている。尚図示２８はバーコードリーダであり、例えば後述する画像形成部Ｂで印刷したバーコードを読み取って正誤判別（エラー判別）するためのユニットである。以下これらの記録ユニットをデータ記録ユニットという。
【００３３】
そこで反転ユニットＦで所定の角度方向に姿勢偏向されたカードをローラ対２０、２１で記録ユニットに移送すると、カードに磁気的若しくは電気的にデータ入力することが可能となる。またこれらのデータ入力ユニットで記録ミスが生じた場合にはリジェクトスタッカ２５に搬出する。
【００３４】
上記反転ユニットＦの下流側には画像形成部Ｂが設けられ、この画像形成部Ｂにカードカセット３からカードを移送する搬入経路Ｐ１が設けられ、この経路Ｐ１に前述の反転ユニットＦが配置されている。また、搬入経路Ｐ１にはカードを搬送する搬送ローラ（ベルトでも良い）２９、３０が配置され、図示しない搬送モータに連結されている。この搬送ローラ２９、３０は正逆転切り換え可能に構成され、反転ユニットＦから画像形成部Ｂにカードを搬送するのと同様に画像形成部Ｂからカードを反転ユニットＦに搬送するようになっている。
【００３５】
上記画像形成部Ｂの下流側には収容スタッカ５５にカードを移送する搬出経路Ｐ２が設けられている。搬出経路Ｐ２にはカードを搬送する搬送ローラ（ベルトでも良い）３７、３８が配置され、図示しない搬送モータに連結されている。
【００３６】
尚、搬送ローラ３７と搬送ローラ３８の間にはディカール機構３６が配置され、搬送ローラ３７、３８間に保持されたカード中央部を押圧することによってカール矯正する。このためディカール機構３６は図示しない昇降機構（カムなど）で図１上下方向に位置移動可能に構成されている。
【００３７】
［画像形成部］
画像形成部Ｂは、カードの表裏面に顔写真、文字データなど画像を形成する。この画像形成部Ｂには転写プラテン３１が設けられ、このプラテンでカード状に画像形成する。図示の装置は、転写フィルム４６（中間転写フィルム）上に画像形成し、このフィルムの画像を転写プラテン３１でカード上に転写する。このため装置ハウジング１には、インクリボンカセット４２と転写フィルムカセット５０が装備される。
【００３８】
図示のインクリボンカセット４２は、昇華型インクリボンその他の熱転写インクリボン４１を操出ロール４３と巻取ロール４４間に巻装し、装置ハウジング１に着脱可能に装着される。この巻取ロール４４には図示しないワインドモータＭｒ１が連結されている。また、装置側にはサーマルヘッド４０と画像形成プラテン４５がインクリボン４１を挟んで対向配置されている。
【００３９】
上記サーマルヘッド４０にはヘッドコントロール用ＩＣ７４ａ（図９参照）が連結され、サーマルヘッド４０を熱制御するようになっている。このヘッドコントロール用ＩＣ７４ａは画像データに従ってサーマルヘッド４０を加熱制御することによってインクリボン４１を後述する転写フィルム４６に画像形成する。このためサーマルヘッド４０の熱制御と同期して巻取ロール４４が回転し、インクリボン４１を所定速度で巻き取るように構成されている。図示ｆ１はサーマルヘッド４０を冷やす為の冷却ファンである。
【００４０】
一方、転写フィルムカセット５０（以下「フィルムカセット」という）も装置ハウジング１に着脱可能に装着される。このフィルムカセット５０に装填された転写フィルム４６がプラテンローラ（画像形成プラテン）４５とインクリボン４１の間を走行して転写フィルム上に画像を形成する。このため転写フィルム４６は供給スプール４７と巻取スプール４８に巻回され、この転写フィルム４６は画像形成プラテン４５で形成された画像を転写プラテン３１と後述する転写ローラ３３の間に移送する。図示４９は転写フィルム４６の移送ローラであり、この移送ローラの周面にピンチローラ３２ａと３２ｂが配置され、図示しない駆動モータに連結されている。
【００４１】
また、図示３４ａは転写プラテン３１に転写フィルム４６を案内するガイドコロであり、図示３４ｂは転写プラテン３１を記録媒体から剥離する剥離コロ（剥離部材；以下同様）である。このガイドコロ３４ａと剥離コロ３４ｂは転写プラテン３１を挟んでガイドコロ３４ａが上流側に、剥離コロ３４ｂが下流側に、それぞれフィルムカセット５０に取付けられている。また、ガイドコロ３４ａと剥離コロ３４ｂとの間隔Ｌ１は記録媒体Ｋの画像形成方向（搬送方向）長さＬｃより短く（Ｌ１＜Ｌｃ）設定されている。
【００４２】
上記転写プラテン３１には、転写フィルム４６を挟んで転写ローラ３３が対向配置されている。この転写ローラ３３は転写フィルム４６上に形成された画像をカードに加熱圧接して転写する。このため転写ローラ３３はヒートローラで構成され、フィルムカセット５０の内側から転写プラテン３１に圧接・離間するように後述する転写部材昇降手段６１が備えられている。尚図示Ｓｅ１はインクリボン４１の位置検出センサであり、図示Ｓｅ２は転写フィルム４６の有無検出センサであり、画像形成部Ｂには装置内に発生した熱を外に出す為のファンｆ２が設けられている。
【００４３】
上記画像形成部Ｂの下流側にはカード収容部Ｄが設けられ、転写プラテン３１から送られたカードを収容スタッカ５５に収容する。この収容スタッカ５５は昇降機構５６と図示しないレベルセンサで、カード収容量に応じて繰り下げ降下するように構成されている。
【００４４】
［フィルムカセットの構成］
上述の転写フィルム４６を装填するフィルムカセット５０について説明する。このフィルムカセット５０は図２に示すように装置ハウジング１とは分離したユニットで構成され、装置ハウジング１に着脱可能に取付けられている。図示しないが図１前面側にフロントカバーが開閉自在に配置され、このフロントカバーを開けた状態で装置フレームにフィルムカセット５０を図２矢印方向に装着するようになっている。
【００４５】
このフィルムカセット５０には、供給スプール４７と巻取スプール４８が着脱可能に装着される。図示５２はスプールの一端を支持する軸受部であり、図示５６はスプールの他端側を支持するカップリング部材である。このカセット側に配置された軸受部５２とカップリング部材５６でスプール端部を支持している。そして供給スプール４７から剥離コロ３４ｂ、を経てガイドコロ３４ａ、３５ｂ、３５ａ、次いで巻取スプール４８に転写フィルム４６が架け渡される。
【００４６】
なお、上記ガイドコロ３５ａ、３５ｂ、３４ａ及び剥離コロ３４ｂは、図示のものはフィルムカセット５０に取付けたピン部材（従動コロ）で構成してあるが、これは固定ピン（不回転）であっても良い。本装置では、カードに転写フィルム４６上の画像を転写する際は供給スプール４７で転写フィルム４６を巻き取りながら転写を行う。よって、剥離コロ３４ｂは転写フィルム４６の転写時におけるフィルム搬送方向下流側（転写ローラ３３よりも供給スプール４７側）に設けられている。
【００４７】
このように架け渡された転写フィルム４６には装置側に配置された移送ローラ４９とピンチローラ３２ａ、３２ｂが係合される。そして供給スプール４７と巻取スプール４８に連結される駆動回転軸（不図示）と、上記移送ローラ４９は同一速度でフィルムを走行するように駆動回転する。
【００４８】
そこで本発明の原理的な構成を図３に従って説明する。まず、転写フィルム４６がガイドコロ３４ａと剥離コロ３４ｂ（剥離部材；以下同様）で支持されている。剥離コロ３４ｂは図３（ｃ）に示すように作動位置（実線）と退避位置（破線）に移動可能に構成されている。この作動位置では、剥離コロ３４ｂが搬送経路Ｐ１に沿って搬送されるカードの表面に対して転写フィルム４６を介して接するように設定されている。
【００４９】
よって、カードに転写された転写フィルム４６は、転写ローラ３３から剥離コロ３４ｂまではカードに接着しており、カードが剥離コロ３４ｂに到達したときに転写フィルム４６がカード表面から剥離される。なお、剥離された転写フィルム４６はカードと直交する方向（図の下方向）に巻き取られるため、カードと剥離後の転写フィルム４６は剥離コロ３４ｂを介して略９０度の関係が保たれる（剥離角度βが略９０度）。
【００５０】
例えば、図１０の示したように剥離コロ３４ｂが搬送経路Ｐ１から離れた位置に設けられていた場合、転写されたフィルム４６が剥離コロ３４ｂに到達する前にカードから剥離してしまう。このような構成では転写フィルム４６がカードから剥離する位置と剥離角度（β２）が不確定となり、転写斑が発生するおそれがある。さらに転写されてから剥離するまでの時間が短くなってしまうため、良好な剥離を行えない場合がある。よって、剥離コロ３４ｂを本実施形態の作動位置に設定することで、剥離角度と、剥離するまでの時間（転写ローラ３３から剥離位置までの距離）が一定となるため、転写斑の発生を抑えることができる。
【００５１】
また、転写プラテン３１に対して転写ローラ３３を圧接及び離間させる。後述する制御手段７０は、カード上に画像転写するときには転写ローラ３３を作動位置（Ｐｎ１）に移動して圧接（図３（ｂ））し、画像形成後（カード後端が転写ローラ３３を通過した後）は待機位置（Ｐｎ２）に移動して離間させる（図３（ｃ））。これによって、カード後端が転写ローラ３３を通過した後に転写ローラ(ヒートローラ）３３に転写フィルム４６が接触して、転写フィルム４６が変形するのを防止する。
【００５２】
また、制御手段７０は、カード後端が剥離コロ３４ｂを通過するタイミングで、この剥離コロ３４ｂを作動位置（Ｐｎ３）から待機位置（Ｐｎ４）に移動させる。ここで、剥離コロ３４ｂを待機位置に移動させているため、両面印刷を行う際に搬送パス上流側の反転ユニットＦに向けてカードをスイッチバック搬送させる際にカードが剥離コロ３４ｂに衝突することを防止している。このような制御によって転写フィルムに過剰の熱が作用して変形する恐れも、また転写フィルムを剥離する際に画像斑が発生することがない。
【００５３】
そこで転写ローラ３３と剥離コロ３４を昇降させるために、後述する転写部材昇降手段６１と、剥離部材昇降手段６２を制御手段で制御する。この制御は、カード先端が転写プラテン３１に到達する見込み時間で転写ローラ３３を待機位置（Ｐｎ２）から作動位置（Ｐｎ１）に位置移動する。また、これと前後して（例えばプリントコマンド信号、上流側のジョブ終了信号など）剥離コロ３４ｂを待機位置（Ｐｎ４）から作動位置（Ｐｎ３）に移動する。
【００５４】
この状態でプラテン位置に所定速度で移動するカードに、その先端から後端に画像を転写する。カード後端が転写ローラ３３を通過した見込み時間で転写ローラ３３を待機位置（Ｐｎ２）に移動させる。すると転写フィルム４６はガイドコロ３４ａと剥離コロ３４ｂに支持され、その一部はカード表面に打擲した状態となる。そしてカードが排出方向に移動するのに伴って転写フィルム４６はカード表面から徐々に剥離される。
【００５５】
この画像転写の過程で転写フィルルム４６はカード表面と一定の剥離角度βでカード先端から後端まで同一角度方向にフィルムを引き剥がすこととなる。従ってカードに転写された画像に斑が生ずることがない。
【００５６】
次に上述の転写部材昇降手段６１と、剥離部材昇降手段６２の構成について説明する。図４は前述のフィルムカセット５０と、転写部材昇降手段６１と、剥離部材昇降手段６２の全体構成を示す説明図である。この昇降手段６１、６２と転写ローラ３３はフィルムユニット６０に内蔵され、装置フレームに取り付けられている。一方、剥離コロ３４ｂはフィルムカセット５０側に取付けられている。
【００５７】
図４において、フィルムカセット５０は装置フレームに同図矢印方向に着脱可能に装着される。そして装置フレームに設けられているフィルムユニット６０と、フィルムカセット５０の転写フィルム４６が組み合わせられる。図５は、フィルムユニット６０の組み立て分解図であり、転写ユニット６０には転写ローラ３３を備えた昇降フレーム６３が図示矢印方向に昇降可能に支持されている。また、剥離コロ３４ｂはフィルムカセット５０側に嵌合溝３４Ｓで昇降可能に支持されている（図２参照）。取付けられている。
【００５８】
上記転写ローラ３３を備えた昇降フレーム６３の構成を図６に示す。転写ローラ３３は転写プラテン（図示のものはローラ）３１と対向する位置に昇降フレーム６３と共に図６矢印方向に昇降するようにユニットフレーム６４に取り付けられている。そしてユニットフレーム６４にシフトモータＭＳが取付けられ、このモータの回転軸にシフトカム６４ｃ（例えば偏心カム；不図示）が設けられている。このシフトカム６４ｃの回転でこのカムと長溝（カムフォロアー；不図示）で嵌合している昇降フレーム６３は図６上下方向に昇降する。
【００５９】
また、転写ローラ３３には、転写プラテン３１と対向する位置に開閉カバー６５が支軸６５ｐを中心に図示矢印方向に回転（開閉）するように設けてある。この開閉カバー６５は高熱の転写ローラ３３に使用者の手指が触れないようにガードする。このため転写ローラ３３が待機位置（Ｐｎ２）のときには開閉カバー６５はローラ表面を覆い、カードがジャムを起こして使用者がジャム解除作業を行う際にローラ表面に触れるのをガードし、転写ローラ３３が作動位置（Ｐｎ１）のときにはローラ表面から退避して転写フィルム４６をプラテン３１に圧接する。また、転写ローラ３３にカバーをすることによって、転写時以外に転写フィルム４６に熱が加えられることがないので、転写フィルム４６の保護にもなっている。
【００６０】
その開閉機構は、ユニットフレーム６４にラック６３ｒが一体に設けてあり、昇降フレーム６３にこのラックと噛合するピニオン６３ｐが設けてある。このピニオン６３ｐは開閉カバー６５の支軸６５ｐと歯車結合されている。従ってシフトモータＭＳでシフトカム６４ｃを回転して昇降フレーム６３を図６矢印方向に上昇させると、ピニオン６３ｐが同図反時計方向に回転し、これと歯車連結されている開閉カバー６５が図示矢印（時計方向）方向に回転する。
【００６１】
以上の説明から明らかなように転写ローラ３３をカードに圧接した作動位置（Ｐｎ１）と離間した退避位置（Ｐｎ２）との間で昇降する転写部材昇降手段６１は、シフトモータＭＳとシフトカム６４ｃで構成されることとなる。またこの転写部材昇降手段６１で転写ローラ３３の開閉カバー６５を開位置（図３（ｂ））と閉位置（図３（ａ））との間で開閉している。
【００６２】
また、前記記録媒体Ｋに画像転写した転写フィルム４６を剥離する作動位置（Ｐｎ３）と記録媒体Ｋから離間した退避位置（Ｐｎ４）との間で剥離部材３４ｂを昇降する剥離部材昇降手段６２について説明する。図６（ｂ）は図５の機構から剥離部材昇降手段６２の構成のみを抽出した説明図であり、この図６（ｂ）に示すようにシフトモータＭＳに歯車連結された駆動回転軸６４ｄにはドライブカム６６ｃが連結されている。このドライブカム６６ｃと係合するカムフォロア６６ｆを備えたレバー６６ｒが図６上下方向に昇降するようにスリットとピンでユニットフレーム６４に昇降可能に支持されている。このレバー６６ｒには復帰スプリング６６Ｓがユニットフレーム６４との間に架け渡してある。
【００６３】
従ってシフトモータＭＳの回転でドライブカム６６ｃが回転すると、カムフォロア６６ｆを有するレバー６６ｒが上下動することとなる。尚ドライブカム６６ｃは後述するようにシフトモータＭＳの角度制御で、剥離部材３４ｂを退避位置（Ｐｎ４）に待機させ、この状態から作動位置（Ｐｎ３）に移動する。
【００６４】
そこでドライブカム６６ｃを回転させてレバー６６ｒを矢印方向に上昇させる。このレバー６６ｒには揺動レバー６７が連結され、この揺動レバー６７は支軸６７ｐを中心に図６矢印方向に回転（揺動）する。するとこの揺動レバー６７にピン−スリット連結された昇降レバー６８ａが矢印方向に下降する。この昇降レバー６８ａと一体の作動レバー６８ｂが、剥離ピンブラケット６９ａ、６９ｂと係合している。なお、上記昇降レバー６８ａはユニットフレーム６４に上下動方向にピンースリット結合によって運動規制されている。
【００６５】
従ってレバー６６ｒがドライブカム６６ｃで上昇し、復帰スプリング６６Ｓで下降する上下動運動で揺動レバー６７が揺動し、昇降レバー６８ａと作動レバー６８ｂが上下動し、この作動レバー６８ｂと係合する剥離ピンブラケット６９ａ、６９ｂが上下動する。この剥離ピンブラケット６９ａ、６９ｂは剥離コロ（剥離部材）３４ｂの両端部に一体的に取り付けられている。
【００６６】
以上の説明から明らかなように、剥離部材昇降手段６２は、シフトモータＭＳとドライブカム６６ｃとレバー６６ｒ、揺動レバー６７、昇降レバー６８ａ、作動レバー６８ｂで構成されている。図示の装置は剥離コロ（剥離部材）３４ｂを、その両端部を作動レバー６８ｂで偏ることなく同一量ずつ均等に昇降することを特徴としている。
【００６７】
次に上述したシフトカム６４ｃとドライブカム６６ｃと駆動回転軸６４ｄとの関係を図７のカム線図で説明する。シフトモータＭＳに歯車連結された駆動回転軸６４ｄにシフトカム６４ｃとドライブカム６６ｃが連結されている。この両カムは例えば次のようなカム面で構成する。ホームポジションＨＰで両カムは転写ローラ３３を「ｄｏｗｎ」、剥離コロ３４を「ｄｏｗｎ」位置にそれぞれ退避位置に移動する。この状態から駆動回転軸６４ｄを例えば１８０度回転する。このときシフトカム６４ｃとドライブカム６６ｃは転写ローラ３３を「ｕｐ」、剥離コロ３４を「ｕｐ」位置にそれぞれ作動位置に移動する。
【００６８】
更に駆動回転軸６４ｄを１８０度位置から角度θ１回転すると、シフトカム６４ｃは転写ローラ３３を「ｄｏｗｎ」位置に移動し、ドライブカム６６ｃは、剥離コロ３４を「ｕｐ」位置に維持する。そして駆動回転軸６４ｄを角度θ２回転すると、シフトカム６４ｃは転写ローラ３３を「ｄｏｗｎ」位置に保持し、剥離コロ３４を「ｄｏｗｎ」位置に維持する。なおこのようなカム構成は、図示のカム形状に拘わらず偏心カムその他、種々のカム形状が採用可能である。
【００６９】
［制御構成］
図９に本発明に係わる制御構成について説明する。制御部Ｈは、例えば制御ＣＰＵ７０で構成し、このＣＰＵ７０にはＲＯＭ７１とＲＡＭ７２が備えられている。そして制御ＣＰＵ７０には、データ入力制御部７３と、画像形成制御部７４と、カード搬送制御部７５が構成されている。そしてカード搬送制御部７５は搬入経路Ｐ１と搬出経路Ｐ２に配置されているカード搬送手段（図１に示す搬送ローラ対）を制御するように図示しない駆動モータのドライブ回路にコマンド信号を送信する。このカード搬送制御部７５は反転ユニットＦの旋回モータのドライブ回路にコマンド信号を送信する。
【００７０】
上記カード搬送制御部７５には、センサＳｅ１〜Ｓｅ１０の状態信号を受信するようにそれぞれのセンサと電気的に接続されている。これと共にデータ入力制御部７３からジョブ信号を受信するように接続されている。
【００７１】
上記データ入力制御部７３は、磁気記録部Ａ１に内蔵されているデータＲ／Ｗ用のＩＣ７３ｘに入力データの送受信を制御するコマンド信号を送信し、同様にＩＣ記録部Ａ２のデータＲ／Ｗ用のＩＣ７３ｙにコマンド信号を送信するように構成されている。上記画像形成制御部７４は、画像形成部Ｂでカードの表裏面への画像形成を制御する。
【００７２】
この画像形成制御は、カード搬送制御７５でコントロールされるカードの搬送に応じてこのカード表面に転写プラテン３１で画像転写する。このため画像形成制御部７４は、転写フィルルム６４５に画像形成プラテン４５で画像形成する、インクリボンワインドモータ制御部７４ｂと、転写フィルルムワインドモータ制御部７４ｃと、シフトモータＭS制御部７４ｄを備えている。
【００７３】
そして上記ＲＡＭ７２には、データ入力部（磁気・ＩＣ記録部）でカード上にデータ入力する処理時間が、例えばデータテーブルに記憶されている。また、カード搬送制御部７５には監視手段Ｈ１が設けられ、いずれも制御ＣＰＵ７０の制御プログラムに組み込まれている。この監視手段Ｈ１は、上記センサＳｅ１〜Ｓｅ１０の状態信号と、データ入力制御部７３のジョブ信号を受信して、装置内に存在するカードの搬送状態を監視するように構成されている。
【００７４】
そこで上述のシフトモータＭS制御部７４ｄの動作制御を図８に従って説明する。同図（ａ）はカード先端が転写プラテン３１に接近した状態であり、制御ＣＰＵ７０はカード位置監視手段でカードの位置を判別し、画像形成するカードが転写プラテンに接近したとき、転写フィルルム上に画像形成する。その後、制御ＣＰＵ７０は、シフトモータＭＳを所定角度（例えば１８０度）回転する。この回転角度は、シフトカム６４ｃは転写ローラ３３を退避位置（ｄｏｗｎ）から作動位置（ｕｐ）に移動し、ドライブカム６６ｃは剥離コロ３４ｂを退避位置（ｄｏｗｎ）から作動位置（ｕｐ）に移動する。
【００７５】
すると転写ローラ３３と剥離コロ３４ｂは図８（ｂ）の状態となる。このときカード先端は転写プラテン３１に到達し、画像形成動作が開始される。次に制御部７４ｄはカード後端が転写ローラ３３を通過する込み時間（予め設定されたタイマー時間）が経過すると、シフトモータＭSを所定角度θ１回転させる。すると転写ローラ３３は図８（ｃ）の状態から同（ｄ）の状態に作動位置から待機位置に移動する。このとき剥離コロ３４は転写フィルム４６をカードから剥離させる作動状態に保持されている。
【００７６】
その後制御部７４ｄはカード後端が剥離コロ３４を通過する見込み時間（タイマー時間）の終了後に、再びシフトモータＭSを所定角度θ２回転させる。すると剥離コロ３４は図８（ｅ）の状態に退避位置に移動する。このとき転写ローラ３３は待機位置に保持されている。なお、図７で説明したシフトカム６４ｃとドライブカム６６ｃは画像形成動作の終了後ホームポジションＨＰに移動する。
【符号の説明】
【００７７】
Ａ          情報記録部
Ｂ          画像記録部（画像形成部）
Ｋ          記録
３１        転写プラテン
３３        転写ローラ
３４ａ      ガイドコロ
３４ｂ      剥離コロ（剥離部材）
３４Ｓ      嵌合溝
３５ａ      ガイドコロ
３５ｂ      ガイドコロ
３６        ディカール機構
３７        搬送ローラ
３８        搬送ローラ
４０        サーマルヘッド
４１        インクリボン
４２        インクリボンカセット
４３        操出ロール
４４        巻取ロール
４５        画像形成プラテン（プラテンローラ）
４６        転写フィルム（中間転写フィルム）
４７        巻取スプール
４８        操出スプール
４９        移送ローラ
５０        フィルムカセット
５２        軸受部
５５        収容スタッカ
５６        カップリング部材
６０        フィルムユニット
６１        転写部材昇降手段（ＭＳ，６４ｃ）
６２        剥離部材昇降手段
６４ｃ      シフトカム
６４ｄ      駆動回転軸
６５        開閉カバー
６６ｃ      ドライブカム
６９ａ      剥離ピンブラケット
６９ｂ      剥離ピンブラケット
β          剥離角度
Ｐｎ１      作動位置
Ｐｎ２      待機位置
ＭＳ        シフトモータ
【図１】
0005652858.tif 000002
【図２】
0005652858.tif 000003
【図３】
0005652858.tif 000004
【図４】
0005652858.tif 000005
【図５】
0005652858.tif 000006
【図６】
0005652858.tif 000007
【図７】
0005652858.tif 000008
【図８】
0005652858.tif 000009
【図９】
0005652858.tif 000010
【図１０】
0005652858.tif 000011